(57)【要約】【課題】本発明は加熱調理器において、マイクロコンピューター等の制御手段の故障や、使用者が意図せずに操作部のみ操作したときに、誤って加熱調理器を動作させないようにし、操作性を向上することを目的とする。【解決手段】安全回路部５を、ドア開閉状態が入力された制御手段１と、ドア開閉信号出力部６の各出力信号で動作し、安全回路部５と、加熱方法を制御手段１に入力した後に受け付けられる加熱条件を入力された制御手段１からの各出力信号を用いて、加熱手段を動作するようにしたことで、使用者は、ドアの開閉動作と加熱方法、加熱時間の入力操作という３つの異なる動作・操作をしたときのみ安全回路部５を動作させ、加熱調理器を動作させるようにした。【選択図】  図１
2005009739.tif 000002
【特許請求の範囲】
【請求項１】
調理物を加熱する複数の加熱手段と、複数の加熱手段を制御する制御手段と、加熱室を開閉する開閉手段と、前記開閉手段の開閉状態を出力するドア開閉信号出力部と、前記加熱手段のモードが選択でき、かつ、あらかじめどれかに選択された状態となる加熱方法選択手段と、加熱条件を設定する加熱条件設定手段を備え、前記制御手段は、前記加熱方法選択手段からの加熱モード切替信号が入力されたのちに、所定時間以内に限り、前記加熱条件設定手段による設定が可能となることを特徴とした加熱調理器。
【請求項２】
調理物を加熱する複数の加熱手段と、複数の加熱手段を制御する制御手段と、加熱室を開閉する開閉手段と、前記開閉手段の開閉状態を出力するドア開閉信号出力部と、前記加熱手段のモードが選択でき、かつ、あらかじめどれかに選択された状態となる加熱方法選択手段と、加熱条件を設定する加熱条件設定手段を備え、前記制御手段は、前記加熱方法選択手段からの加熱モード切替信号が入力されたのちに、所定時間以内に限り、加熱動作を開始する入力信号を受け付け加熱手段の動作を可能としたことを特徴とした加熱調理器。
【請求項３】
使用者がどの加熱モードを選択しているかを認識できるように、複数の加熱方法のそれぞれに対応した表示手段を備え、制御手段に前記加熱方法選択手段からのモード切替信号が入力された時に、前記表示手段にて、加熱方法選択手段で選択されている加熱方法に対応した表示をすることを特徴とした請求項１または２に記載の加熱調理器。
【請求項４】
報知手段を備え、制御手段に開閉手段の開成または閉成になった時のドア開閉信号出力部からの信号を入力された時に、前記報知手段にて報知を行い、かつ加熱方法選択手段で加熱モードを切り替えたときにも前記報知手段により報知することを特徴とした請求項３に記載の加熱調理器。
【発明の詳細な説明】
【０００１】
【発明の属する技術分野】
本発明は、使用者が意図せずに操作部のみ操作したときに、誤って加熱調理器を動作させないようにし、かつ簡単に操作を行えるようにした加熱調理器に関するものである。
【０００２】
【従来の技術】
従来、この種の加熱調理器としては、例えば、図４や図５に記載されているようなものがあった。図４は高周波加熱装置の構成図、図５は高周波加熱装置の回路図を示すものである。
【０００３】
図５において、１は制御手段、２は加熱手段制御部、３は加熱手段駆動部、４は操作部、５は安全回路部である。従来例では、操作部４のスイッチＳＷ１〜ＳＷ４からの出力が加熱手段１へ入力され、加熱可能な状態を制御手段１が認識すると、Ｏ１から信号を出力し（この場合、制御手段１の出力電圧は５Ｖとする）、トランジスタＱ４のエミッタに電圧を印可する。次に使用者が操作部４のＳＴＡＲＴキーを押すとダイオードＤ３を通して点Ａが５Ｖになり、トランジスタＱ６がＯＮして、それによりトランジスタＱ４のベースが０Ｖに引き込まれトランジスタＱ４がＯＮする。すなわち、トランジスタＱ４とＱ６とにより回路の安全性を保持する安全回路部５を構成する。トランジスタＱ４がＯＮするとトランジスタＱ４のコレクタがほぼ５Ｖとなるため、ＳＴＡＲＴキーが離されてもトランジスタＱ６はＯＮし続ける。また、ＳＴＡＲＴキーからの信号が制御手段１に入力されると、Ｏ３が出力されトランジスタＱ７がＯＮする。この時、トランジスタＱ６がＯＮしているため、加熱手段制御部２のリレーの接点が閉じ、加熱手段が動作する構成としていた（例えば、特許文献１参照）。
【０００４】
すなわち、使用者がドアを開閉して調理物を加熱室に入れ、加熱モード、加熱条件等の加熱に必要な情報を操作部４から制御手段１に入力し、ＳＴＡＲＴキーを押すことで安全回路部５、加熱手段駆動部３、加熱手段制御部２を動作させることで加熱手段８が動作している。
【０００５】
また、加熱時間を時間入力手段から制御手段に入力したときに、調理開始させることで、ＳＴＡＲＴキーを削減しているものもある（例えば、特許文献２参照）。
【０００６】
【特許文献１】
特許第２５０６７１６号公報
【特許文献２】
特開平２−２２３７３１号公報
【０００７】
【発明が解決しようとする課題】
しかしながら、前記従来の構成では、操作部の操作のみで安全回路部を動作できる（安全回路を解除）構成、すなわち加熱調理器が動作してしまう。このような意図も容易に安全回路が解除可能な構成では、予め加熱モードが選択された状態で放置され、その状態で、使用者が加熱モードの確認を忘れ、時間設定し、加熱調理を開始させた場合、つぎの様な失敗をしてしまう。例えば、使用者は、樹脂製のトレーで食品をマイクロ波調理するつもりが、ヒータ加熱され調理開始後に、食品が焦げているのに気づきあわせて調理を終了してしまう。
【０００８】
また、操作部の掃除をしている時など、使用者が意図しない場合でも誤って加熱調理器を動作させてしまうことがあるという課題を有していた。また、安全回路部は、ＳＴＡＲＴキーからの信号で動作しているため、加熱手段を動作させるには必ずＳＴＡＲＴキーを必要としていた。このため、操作部にはＳＴＡＲＴキーを構成するスペース、部品が必ず存在し、限られた操作部スペースに対してキーの点数が多くなり、１つ当たりのキーの大きさが小さくなり操作性、視認性が悪くなる、また部品点数が多くコストが高くなる、という課題を有していた。
【０００９】
なお、調理物を調理する時に、調理物を加熱室に入れるためにドアを開閉する、制御手段に加熱モードを入力する、加熱時間等の加熱条件を入力する、加熱手段の動作開始を指示するという４つの動作や操作が必要であるが、制御手段に加熱時間を入力したときに加熱手段を動作させることで、ＳＴＡＲＴキーを削減し、使用者の操作数を減らすことは可能であるが、操作部の操作のみで安全回路部を動作できる、すなわち加熱調理器を動作させることができるため、例えば、操作部の掃除をしている時など、使用者が意図しない場合でも誤って加熱調理器を動作させてしまうことがあるという課題は有したままである。
【００１０】
本発明は、前記従来の課題を解決するもので、使用者が意図せずに操作部のみ操作したときに、誤って加熱調理器を動作させないようにし、かつ簡単に操作を行えるようにした加熱調理器を提供することを目的とする。
【００１１】
【課題を解決するための手段】
前記従来の課題を解決するために、本発明の加熱調理器は、調理物を加熱する複数の加熱手段と、複数の加熱手段を制御する制御手段と、加熱室を開閉する開閉手段と、前記開閉手段の開閉状態を出力するドア開閉信号出力部と、前記加熱手段のモードが選択でき、かつ、あらかじめどれかに選択された状態となる加熱方法選択手段と、加熱条件を設定する加熱条件設定手段を備え、前記制御手段は、前記加熱方法選択手段からの加熱モード切替信号が入力されたのちに、所定時間以内に限り、前記加熱条件設定手段による設定が可能となることを特徴としたものである。
【００１２】
これによって、制御手段は、加熱方法選択手段からの加熱モード切替信号が入力されたのちに、所定時間以内に限り、前記加熱条件設定手段による設定が可能となるため、加熱動作を行なう際は、かならず加熱方法選択手段を操作することとしている。すなわち、加熱方法選択手段が複数の加熱モードがあらかじめどれかに選択されている状態となっているため、使用者があらかじめ選択されている加熱モードを誤認識してそのままの加熱モードで加熱条件設定手段により加熱条件設定を入力しようとしても、制御手段がその情報を受け付けないため、間違った加熱方法での動作を行えないように出来る。
【００１３】
【発明の実施の形態】
請求項１に記載の発明は、調理物を加熱する複数の加熱手段と、複数の加熱手段を制御する制御手段と、加熱室を開閉する開閉手段と、前記開閉手段の開閉状態を出力するドア開閉信号出力部と、前記加熱手段のモードが選択でき、かつ、あらかじめどれかに選択された状態となる加熱方法選択手段と、加熱条件を設定する加熱条件設定手段を備え、前記制御手段は、前記加熱方法選択手段からの加熱モード切替信号が入力されたのちに、所定時間以内に限り、前記加熱条件設定手段による設定が可能となることを特徴としたことにより、制御手段は、加熱方法選択手段からの加熱モード切替信号が入力されたのちに、所定時間以内に限り、前記加熱条件設定手段による設定が可能となるため、加熱動作を行なう際は、かならず加熱方法選択手段を操作することとしている。すなわち、加熱方法選択手段が複数の加熱モードがあらかじめどれかに選択されている状態となっているため、使用者があらかじめ選択されている加熱モードを誤認識してそのままの加熱モードで加熱条件設定手段により加熱条件設定を入力しようとしても、制御手段がその情報を受け付けないため、間違った加熱方法での動作を行えないように出来る。
【００１４】
請求項２に記載の発明は、調理物を加熱する複数の加熱手段と、複数の加熱手段を制御する制御手段と、加熱室を開閉する開閉手段と、前記開閉手段の開閉状態を出力するドア開閉信号出力部と、前記加熱手段のモードが選択でき、かつ、あらかじめどれかに選択された状態となる加熱方法選択手段と、加熱条件を設定する加熱条件設定手段を備え、前記制御手段は、前記加熱方法選択手段からの加熱モード切替信号が入力されたのちに、所定時間以内に限り、加熱動作を開始する入力信号を受け付け加熱手段の動作を可能としたことを特徴としたことにより、制御手段は、加熱方法選択手段からの加熱モード切替信号が入力されたのちに、所定時間以内に限り、前記加熱条件設定手段による設定が可能となるため、加熱動作を行なう際は、かならず加熱方法選択手段を操作することとしている。すなわち、加熱方法選択手段が複数の加熱モードがあらかじめどれかに選択されている状態となっているため、使用者があらかじめ選択されている加熱モードを誤認識してそのままの加熱モードで加熱条件設定手段により加熱条件設定を入力しようとしても、制御手段がその情報を受け付けないため、間違った加熱方法での動作を行えないように出来る。
【００１５】
請求項３に記載の発明は、特に、請求項１および２に記載の加熱調理器に、使用者がどの加熱モードを選択しているかを認識できるように、複数の加熱方法のそれぞれに対応した表示手段を備え、制御手段に前記加熱方法選択手段からのモード切替信号が入力された時に、前記表示手段にて、加熱方法選択手段で選択されている加熱方法に対応した表示をすることを特徴としたことにより、使用者が加熱方法選択手段を操作すれば、加熱モードに対応した表示手段を表示させることができるため、使用者には加熱モードを視覚的に認識することが容易となり、使い勝手が向上する。
【００１６】
請求項４に記載の発明は、特に、請求項３に記載の加熱調理器に、報知手段を備え、制御手段に開閉手段の開成または閉成になった時のドア開閉信号出力部からの信号を入力された時に、前記報知手段にて報知を行い、かつ加熱方法選択手段で加熱モードを切り替えたときにも前記報知手段により報知することを特徴としたことにより、使用者が加熱方法選択手段を操作すれば、加熱モード選択時に聴覚的にも認識することができ、より操作性を向上できる。
【００１７】
【実施例】
以下本発明の実施例について、図面を参照しながら説明する。
【００１８】
（実施例１）
図１は、本発明の第１の実施例における加熱調理器の図を示すものである。
【００１９】
図１において、６は加熱室を開閉するドアの開閉状態を出力するドア開閉信号出力部であり、ドアが閉状態では０Ｖ出力、開状態でははぼ５Ｖを出力し、その信号は制御手段１へ入力されるとともに、安全回路部５へも入力される。制御手段１は、入力されたドア開閉信号を受けて、安全回路部５に信号を出力する。安全回路部５は、ドア開閉信号出力部６からの信号と制御手段１からの信号により動作を行う。加熱方法選択手段１０には、複数のスイッチを内蔵しそのうちのどれか１つのスイッチがいつもＯＮしているロータリースイッチＲＳＷ１を用い、そのロータリースイッチＲＳＷ１の複数の内臓スイッチと複数の加熱方法をそれぞれ対応させている。ロータリースイッチＲＳＷ１からは制御手段１に対して常に複数の加熱方法のうちの１つを指示する信号をあらかじめ出力しているため、使用者があらかじめ選択されている加熱方法を使用したいときには、ロータリースイッチＲＳＷ１を操作しなくても制御手段１はその加熱方法（たとえば、ヒータ加熱、マイクロ波加熱、それらのコンビ加熱等）を認識することができ、操作手順が１つ削減できる。制御手段１は、加熱方法選択手段１０より加熱方法を入力され、その入力信号を認識した後に時間入力手段１１により加熱時間を入力されると加熱手段駆動部３に信号を出力し、加熱手段駆動部３はその信号と安全回路部５からの信号により動作を行い、その出力信号にて加熱手段制御部２を動作させ、加熱手段を動作させている。
【００２０】
なお、図２はその回路図、図３はタイミングチャートを示す。
【００２１】
以上のように構成された加熱調理器について、図２、図３を用いて以下にその動作、作用を説明する。
【００２２】
まず、使用者がドアを開くと、ドア開でＯＦＦ、ドア閉でＯＮするドア連動スイッチにより、トランジスタＱ３のベースが０Ｖとなり、トランジスタＱ３がＯＦＦし、ドア開閉信号出力部６の出力、すなわち、Ｂ点の電位がほぼ５Ｖとなる。その信号を受けた制御手段１はドアが開けられたことを認識し、制御手段１のＯ１から信号を出力し（この場合、制御手段１の出力電圧は５Ｖとする）、トランジスタＱ７のエミッタに電圧を印可する。同時に、Ｂ点からの出力信号は、安全回路部５のトランジスタＱ８のベースに印加され、トランジスタＱ８がＯＮして、それによりトランジスタＱ７のベースが０Ｖに引き込まれトランジスタＱ７がＯＮする。すなわち、トランジスタＱ７とＱ８とにより回路の安全性を保持する安全回路部５を構成する。トランジスタＱ７がＯＮするとトランジスタＱ７のコレクタがほぼ５Ｖとなるため、ドア信号出力部６からの出力信号が０Ｖになっても（ドアが閉められても）、トランジスタＱ８はＯＮし続ける。また、制御手段にドア開閉信号が入力された後に、加熱方法選択手段１０のスイッチＳＷ１〜ＳＷ４からの信号が制御手段１へ入力され、加熱方法選択手段１０からの信号が入力された後に、時間入力手段１１のロータリーエンコーダＲＥ１からの出力を制御手段１が受け付けるようにして、加熱可能な状態を制御手段１が認識すると、制御手段１のＯ２が出力されトランジスタＱ５のベースに５Ｖが印加される。この時、トランジスタＱ８がＯＮしているため、トランジスタＱ５がＯＮして、加熱手段制御部２のリレーの接点が閉じ、加熱手段８が動作する。
【００２３】
以上のように、本実施例においては、安全回路部５を、ドア開閉状態が入力された制御手段１からの出力信号とドア開閉信号出力部６からの出力信号で動作し、安全回路部５からの出力信号と、ドア開閉信号が入力された後に加熱時間を入力された制御手段１からの出力信号により加熱手段駆動部３を動作させ、その出力信号により加熱手段制御部２を動作させることで加熱手段８が動作することになるため、マイクロコンピューター等の制御手段１の故障や、使用者が意図せずに操作部４のみ操作したときに、誤って加熱調理器を動作させないようにでき、かつ操作数を削減できるために操作性も向上できる。また、ＳＴＡＲＴキーなどの調理開始を指示する手段を廃止することができるため、操作部の操作性、視認性を向上し、かつ安価な加熱調理器とすることができる。また、本実施例のドア連動スイッチを、加熱手段制御部２のリレーと、リレー電源の間、またはリレーと加熱手段駆動部３の間に設けることで、ドアが閉じている時にのみリレーの接点を閉じることとなり、ドアが開いている時に万が一ノイズ等により制御手段１からＯ２出力または、トランジスタＱ５をＯＮする信号が印加されたとしても、リレーをＯＮさせないようにできるため、より安全性が高められる。
【００２４】
【発明の効果】
以上のように、請求項１〜４に記載の発明によれば、マイクロコンピューター等の制御手段の故障や、使用者が意図せずに操作部のみ操作したときに、誤って加熱調理器を動作させないようにでき、かつ操作数を削減できるために操作性も向上できる。
【図面の簡単な説明】
【図１】本発明の実施例１における加熱調理器の構成図
【図２】本発明の実施例１における加熱調理器の回路図
【図３】本発明の実施例１における加熱調理器のタイムチャート
【図４】従来の加熱調理器の構成図
【図５】従来の加熱調理器の回路図
【符号の説明】
１  制御手段
２  加熱手段制御部
３  加熱手段駆動部
４  操作部
５  安全回路部
６  ドア開閉信号出力部
８  加熱手段
９  開閉手段
１０  加熱方法選択手段
１１  時間入力手段
【図１】
2005009739.tif 000003
【図２】
2005009739.tif 000004
【図３】
2005009739.tif 000005
【図４】
2005009739.tif 000006
【図５】
2005009739.tif 000007